(57)【要約】【課題】碍子１０の絶縁不良が確実に防止されうる洗浄方法の提供。【解決手段】工場２には、コージェネレーション発電システム４及び受電所６が設置されている。コージェネレーション発電システム４は、タンク８を備えている。このタンク８には、純水が備蓄されている。碍子１０に海水が付着したときは、この純水がポンプ１６及びホース１４でノズル１８へと導かれる。この純水は、碍子１０に向けてノズル１８から噴射される。海水は、純水で洗い流される。この洗い流しにより、碍子１０の表面に沿った放電が阻止される。純水の電気比抵抗は、２ｋΩ・ｍ以上が好ましい。【選択図】図１
2008066052.tif 000002
【特許請求の範囲】
【請求項１】
タンク内に備蓄された純水をポンプ及びホースでノズルへ導く工程
及び
この純水を屋外に設置された碍子に向けてノズルから噴射させる工程
を含む碍子の洗浄方法。
【請求項２】
上記純水の電気比抵抗が２ｋΩ・ｍ以上である請求項１に記載の洗浄方法。
【請求項３】
上記タンクが、コージェネレーション発電システム用の純水を備蓄するものである請求項１又は２に記載の洗浄方法。
【発明の詳細な説明】
【技術分野】
【０００１】
本発明は、碍子の洗浄方法に関する。
【背景技術】
【０００２】
多量の電力を消費する工場では、電力会社から高圧電力の供給を受ける。この電力の電圧は、例えば２７５ｋＶである。この電力は例えば７７ｋＶに変電され、工場内の受電所に送られる。この受電所には、多数の碍子が設置されている。この碍子に、配電線が結ばれる。碍子は、絶縁機能を有する。碍子は、屋外に設置されることが多い。
【０００３】
臨海地帯にある工場では、台風時等の強風によって海水が吹き上げられ、碍子に付着することがある。風と共に雨を伴う台風の場合、海水は雨で洗い流される。しかし、雨量が少ない場合は、洗い流しは期待できない。海水は、塩分を含んでいる。海水の付着により、碍子の表面に沿った放電が生じることがある。この現象は、「絶縁不良」と称されている。絶縁不良が生じると、工場への電力供給ができなくなり、操業が停止される。絶縁不良による放電で、碍子が破損することもある。
【０００４】
特開平５−３２５６８９号公報には、碍子用の洗浄設備が開示されている。この設備では、洗浄水がスプレーノズルから碍子に向けて噴霧される。この洗浄水で海水が洗い流されることにより、碍子の絶縁不良が防止される。
【特許文献１】特開平５−３２５６８９号公報
【発明の開示】
【発明が解決しようとする課題】
【０００５】
上記洗浄設備では、ノズルから噴霧された洗浄水の向かう方向が、風向及び風速に依存する。洗浄水が碍子に届かないこともある。多数のノズルが設けられればあらゆる風向及び風速に対応できるが、この設備は構成が複雑で高コストである。
【０００６】
スプレーノズルから噴霧された洗浄水は、碍子に付着する。碍子の表面では、洗浄水が海水と混ざり合う。この洗浄水の電気抵抗が低い場合、洗浄水の噴霧がかえって絶縁不良を誘発するおそれもある。
【０００７】
本発明の目的は、碍子の絶縁不良が確実に防止されうる洗浄方法の提供にある。
【課題を解決するための手段】
【０００８】
本発明に係る洗浄方法は、
タンク内に備蓄された純水をポンプ及びホースでノズルへ導く工程
及び
この純水を屋外に設置された碍子に向けてノズルから噴射させる工程を含む。
【０００９】
好ましくは、上記純水の電気比抵抗は２ｋΩ・ｍ以上である。好ましくは、上記タンクは、蒸気タービン用の純水を備蓄するものである。
【発明の効果】
【００１０】
この洗浄方法では、洗浄水として純水が用いられるので、絶縁不良が確実に防止される。この洗浄方法では、新たな設備は不要である。この洗浄方法は、低コストである。
【発明を実施するための最良の形態】
【００１１】
以下、適宜図面が参照されつつ、好ましい実施形態に基づいて本発明が詳細に説明される。
【００１２】
図１は、本発明の一実施形態に係る洗浄方法が実施される工場２の概念図である。この工場２は、臨海地帯に立地している。この工場２には、コージェネレーション発電システム４及び受電所６が設置されている。
【００１３】
製鋼所等では、省電力の目的で、工場２内にコージェネレーション発電システム４を有していることが多い。コージェネレーション発電システム４では、ガスタービンによって発電機が駆動され、電力が得られる。このガスタービンの排熱はボイラーに導かれ、この排熱が利用されて純水が加熱される。純水は、水蒸気となって、工場で使用される。コージェネレーション発電システム４は、純水を備蓄するタンク８を備えている。純水は、例えば地下水が濾過され、さらにイオン交換に供されることで得られる。
【００１４】
受電所６は、多数の碍子１０を備えている。この碍子１０には、配電線１２が連結されている。配電線１２は、いわゆる裸線である。碍子１０は、磁器からなる。碍子１０の表面は凹凸状であり、この凹凸により大きな沿面距離が達成されている。この碍子１０により、配電線１２と地面との絶縁が達成されている。
【００１５】
図１には、ホース１４、ポンプ１６及びノズル１８も示されている。このホース１４として、消防用ホースが流用されうる。ポンプ１６の吐出速度は、例えば３２ｍ３／ｈである。ポンプ１６の吐出圧は、例えば０．５ＭＰａである。ポンプ１６として、消防用ポンプが流用されうる。ノズル１８として、消防用ノズルが流用されうる。
【００１６】
台風時や季節風が強いとき、海水が吹き上げられて工場２に飛来し、碍子１０に付着することがある。このとき、タンク８に備蓄された純水がホース１４及びポンプ１６でノズル１８に導かれる。純水は、ノズル１８から碍子１０に向けて噴射される。この噴射により、海水が純水で洗い流され、碍子１０の絶縁不良が防止される。
【００１７】
碍子１０への海水の付着は、雨を伴わない強風が吹くときに生じやすい。このような強風が吹く頻度は、さほど高くない。一年間を通してこのような強風が全く吹かないこともある。極めてまれな事態に備え、受電所６に予め洗浄設備を設けることは、得策ではない。洗浄設備の設置費用及びメンテナンス費用が膨大だからである。
【００１８】
本発明に係る洗浄方法では、コージェネレーション発電システム４のタンク８に備蓄された純水が洗浄水として用いられるので、新たなタンク８及び純水製造装置の設置は必要ない。コージェネレーション発電システム４は、発電で得られた電力を変電設備に送電しやすいように、受電所６の近くに設けられることが多い。このコージェネレーション発電システム４のタンク８が用いられることにより、短いホース１４で純水が碍子１０にまで導かれうる。
【００１９】
本発明に係る洗浄方法では、工場２に常備されることが多い消防用ホース１４、消防用ポンプ１６及び消防用ノズル１８が流用されうる。この洗浄方法では、新たな噴射設備は不要である。
【００２０】
この洗浄方法では、純水が用いられる。本発明では、電気比抵抗が２ｋΩ・ｍ以上である純水が、好適に用いられる。純水は、電気抵抗率が極めて高い。この純水が用いられることにより、絶縁不良が確実に阻止される。
【００２１】
純水の噴射時、ノズル１８は作業者によって保持される。ノズル１８の向きは、作業者の意思によって決定される。ノズル１８の向きは、任意である。このノズル１８からの噴射により、風向及び風速にかかわらず、純水が確実に碍子１０に到達しうる。
【００２２】
ノズル１８からの純水の吐出速度は、１０ｍ３／ｈ以上５０ｍ３／ｈ以下が好ましい。吐出速度が１０ｍ３／ｈ以上に設定されることにより、効率よく絶縁不良が阻止される。この観点から、吐出速度は２０ｍ３／ｈ以上がより好ましい。吐出速度が５０ｍ３／ｈ以下に設定されることにより、水圧による碍子１０の破損が抑制される。この観点から、吐出速度は４０ｍ３／ｈ以下がより好ましい。
【００２３】
ノズル１８からの純水の吐出圧は、０．１ＭＰａ以上２．０ＭＰａ以下が好ましい。吐出圧が０．１ＭＰａ以上に設定されることにより、効率よく絶縁不良が阻止される。この観点から、吐出圧は０．３ＭＰａ以上がより好ましい。吐出圧が２．０ＭＰａ以下に設定されることにより、水圧による碍子１０の破損が抑制される。この観点から、吐出圧は１．０ＭＰａ以下がより好ましい。
【産業上の利用可能性】
【００２４】
本発明に係る洗浄方法は、発電所、変電所等に設置された碍子にも適用されうる。
【図面の簡単な説明】
【００２５】
【図１】図１は、本発明の一実施形態に係る洗浄方法が実施される工場の概念図である。
【符号の説明】
【００２６】
２・・・工場
４・・・コージェネレーション発電システム
６・・・受電所
８・・・タンク
１０・・・碍子
１２・・・配電線
１４・・・ホース
１６・・・ポンプ
１８・・・ノズル
【図１】
2008066052.tif 000003